(57)【要約】【課題】液剤を選択的に供給し得ると共に、液剤補充も容易な流し台を提供する。【解決手段】流し台１０の収納スペース１２内に、複数の液剤貯留タンク３２を載置し、各タンク３２毎に液剤供給管３６を配設する。また、各液剤貯留タンク３２は切換弁３８を介して、ポンプ４０に選択的に連通接続される。更に、各液剤貯留タンク３２には、液剤補充管４６および第２常閉弁５０が配設される。液剤供給時には、制御手段３４が切換弁３８を作動させて、任意液剤貯留タンク３２をポンプ４０に連通させることで、液剤が液剤供給管３６を介して流し台１０のシンク１６に供給される。また、液剤補充時には、リリーススイッチ２６をＯＮ入力することで、制御手段３４が前記第２常閉弁５０および第１常閉弁４８を開放して液剤貯留タンク３２内の密閉性を解除し、液剤補充可能な状態とされる。【選択図】図１
2007185251.tif 000002
【特許請求の範囲】
【請求項１】
シンク(16)を上部に設け、収納スペース(12)を内部に画成した流し台において、
前記収納スペース(12)内に配置され、所望の液剤を密閉状態で貯留する複数の液剤貯留タンク(32)と、
前記夫々の液剤貯留タンク(32)に一端が連通接続すると共に他端が前記シンク(16)の上方に臨むノズル(62)に連通し、該ノズル(62)から液剤を供給する液剤供給管(36)と、
空圧管(42)を介して切換弁(38)の一方に接続され、該切換弁(38)の他方に接続する分岐管(44)を介して選択的に連通させた前記何れかの液剤貯留タンク(32)を加圧する空気圧送ポンプ(40)と、
前記夫々の液剤貯留タンク(32)に一端が対応的に接続すると共に、他方の開放端(52)を流し台の上面(24)に臨ませた液剤補充管(46)と、
前記夫々の液剤補充管(46)に常閉状態で設けられ、液剤補充時に開放して該液剤補充管(46)を連通させる第１常閉弁(48)と、
前記夫々の液剤貯留タンク(32)に常閉状態で設けられ、液剤補充時に前記第１常閉弁(48)と連動的に開放して、液剤貯留タンク(32)の密閉状態を解除する第２常閉弁(50)と、
液剤の選択供給に際しては、前記切換弁(38)を切換えて選択された液剤貯留タンク(32)の分岐管(44)と空圧管(42)とを連通させると共に、空気圧送ポンプ(40)を作動させて液剤貯留タンク(32)中の液剤を前記液剤供給管(36)を介して前記ノズル(62)より供給し、また、液剤の補充に際しては、前記第１常閉弁(48)および第２常閉弁(50)を開放させて液剤貯留タンク(32)への液剤補充を許容する制御手段(34)とから構成した
ことを特徴とする流し台。
【請求項２】
前記上面(24)に、前記各液剤貯留タンク(32)に対応して液剤選択供給操作される選択ボタン(30)が設けられる請求項１記載の流し台。
【請求項３】
前記上面(24)に、前記液剤補充操作されるリリーススイッチ(26)が配設される請求項１または２記載の流し台。
【請求項４】
前記第２常閉弁(50)は、各液剤貯留タンク(32)に連通接続するリリース管(56)に設けられる請求項１〜３の何れかに記載の流し台。
【発明の詳細な説明】
【技術分野】
【０００１】
この発明は、流し台に関するものであって、更に詳細には、キッチンや洗面所等に配設され、シンクに所望の液剤を供給し得るようにした流し台に関するものである。
【背景技術】
【０００２】
家庭の台所や洗面所等に設置される流し台には、シンクに湯水を供給する蛇口が配設されて、料理や食器の洗浄等に供されている。また、前記シンクの周辺位置には、食器洗い用の洗剤や手洗い石鹸、シンク等を洗う液体クレンザー等を詰めた各種のボトルが配置され、食器洗浄や手洗い等を行なう際に、これらのボトルは配置場所から取出されて使用される。
【０００３】
このように、食器洗浄や、手洗い等をする際には、使用の度にボトルを取り出す必要があり、使用者にとっては少々手間である。また、ボトルを取り出す際に、手の汚れや泡等がボトルやシンクの周りに付着して、衛生上の問題を生ずる難点もある。
【０００４】
そこで、上記の問題を解決するものとして、特許文献１には、流し台等に配設された水道水のノズルの胴部に洗剤通路を設け、該流し台の内部に配置した容器に貯留された洗剤をスイッチ操作でポンプ圧送し、該ノズルの開口部から該洗剤を注出し得るようにした液剤供給装置が開示されている。この液剤供給装置によれば、スイッチ操作によって洗剤を注出し得るので、使用毎にボトルを取り出す手間が省かれ、該ボトルが汚れたりすることも防止できる。
【特許文献１】特開平５−１９２２６５号公報
【発明の開示】
【発明が解決しようとする課題】
【０００５】
ところが、特許文献１に記載の液剤供給装置は、１種類の液剤しか供給することができないので、例えば前記容器に食器洗い用の洗剤が貯留されていると仮定すると、シンクの洗浄のためにクレンザーが必要な場合、結局、クレンザーのボトルを取り出さなければならず、上記問題を完全に解決することができない。
【０００６】
また、特許文献１には、前記容器に液剤の補充をする場合について言及していないが、恐らく、使用者は流し台の内部に臨んで液剤を容器へ直接注入するものと思われる。しかしながら、これでは、補充作業が非常に煩雑となってしまい、補充の際に液剤が零れてしまう可能性も指摘される。
【０００７】
そこで本発明は、従来技術に係る流し台に内在する前記問題に鑑み、これらを好適に解決するべく提案されたものであって、複数種類の液剤を選択的に供給することができ、また液剤補充を容易に行ない得るようにした流し台を提供することを目的とする。
【課題を解決するための手段】
【０００８】
前記課題を克服し、所期の目的を達成するため、本発明の請求項１に係る流し台は、
シンクを上部に設け、収納スペースを内部に画成した流し台において、
前記収納スペース内に配置され、所望の液剤を密閉状態で貯留する複数の液剤貯留タンクと、
前記夫々の液剤貯留タンクに一端が連通接続すると共に他端が前記シンクの上方に臨むノズルに連通し、該ノズルから液剤を供給する液剤供給管と、
空圧管を介して切換弁の一方に接続され、該切換弁の他方に接続する分岐管を介して選択的に連通させた前記何れかの液剤貯留タンクを加圧する空気圧送ポンプと、
前記夫々の液剤貯留タンクに一端が対応的に接続すると共に、他方の開放端を流し台の上面に臨ませた液剤補充管と、
前記夫々の液剤補充管に常閉状態で設けられ、液剤補充時に開放して該液剤補充管を連通させる第１常閉弁と、
前記夫々の液剤貯留タンクに常閉状態で設けられ、液剤補充時に前記第１常閉弁と連動的に開放して、液剤貯留タンクの密閉状態を解除する第２常閉弁と、
液剤の選択供給に際しては、前記切換弁を切換えて選択された液剤貯留タンクの分岐管と空圧管とを連通させると共に、空気圧送ポンプを作動させて液剤貯留タンク中の液剤を前記液剤供給管を介して前記ノズルより供給し、また、液剤の補充に際しては、前記第１常閉弁および第２常閉弁を開放させて液剤貯留タンクへの液剤補充を許容する制御手段とから構成したことを特徴とする。
【０００９】
請求項１の発明によれば、複数種類の液剤をシンクに選択的に供給し得るよう構成したので、用途に合わせて各種様々な液剤を供給することができる。また、液剤用のボトル等をシンクの周りに置いておく必要がないので、流し台がスッキリして、不衛生になることもない。更に、液剤貯留タンクに液剤を補充する場合、流し台の上面または上方に臨んだ液剤補充管の開放端から補充することができるので、容易かつ確実に補充することが可能となる。また、液剤補充の際に第２常閉弁が液剤貯留タンク内の空気を放出するので、液剤が液剤補充管から飛び出すのを防止して、液剤補充を確実に行ない得る。
【００１０】
請求項２に係る流し台は、前記上面に、前記各液剤貯留タンクに対応して液剤選択供給操作される選択ボタンを設けた。
【００１１】
請求項２の発明によれば、選択ボタンを押すだけで、液剤の選択および供給を容易に行ない得る。
【００１２】
請求項３に係る流し台は、前記上面に、前記液剤補充操作されるリリーススイッチを配設した。
【００１３】
請求項３の発明によれば、リリーススイッチを操作することで、容易に液剤を補充可能な状態とすることが可能となる。
【００１４】
請求項４に係る流し台は、前記第２常閉弁を、各液剤貯留タンクに連通接続するリリース管に設けた。
【００１５】
請求項４の発明によれば、液剤補充操作時に液剤貯留タンク内の空気がリリース管を介してスムーズ外部へ放出される。
【発明の効果】
【００１６】
本発明に係る流し台によれば、複数種類の液剤を選択的に供給し得ると共に、液剤の補充を容易かつ確実に行なうことができる。
【発明を実施するための最良の形態】
【００１７】
次に、本発明に係る流し台につき、好適な実施例を挙げて、添付図面を参照して以下説明する。なお、実施例では、一般家庭のキッチンに配設されるタイプの流し台を例示するが、本発明に係る流し台を、例えば、喫茶店や飲食店等の厨房に配設したり、洗面所や脱衣所等に設置したりすることも可能である。
【実施例】
【００１８】
図１は、実施例に係る流し台１０を概略的に示す説明断面図である。この流し台１０は、内部に収納スペース１２が画成された台部１４と、該台部１４に配設されるシンク１６と、このシンク１６へ湯水を供給する蛇口１８とから外観が構成される。前記蛇口１８は、流し台１０外部の図示しない水道系およびボイラーに接続した湯水供給管２０と連通しており、蛇口１８から水道水および温水を選択的に供給し得るようになっている。前記蛇口１８の内部には、後述する液剤供給管３６に連通するノズル６２,６２,６２が配設され、蛇口１８の開口部１８ａからその開放端がシンク１６を指向させた状態で臨んでいる。また、前記台部１４の前面側(図１の左側)に開放部２２が開設され、この開放部２２は扉６０によって開閉自在に閉成されている。図２に示すように、台部１４の上面２４には、後述するリリーススイッチ２６および液剤補充部２８が設けられると共に、液剤の選択および供給を行なう選択ボタン３０,３０,３０が配設される。
【００１９】
前記収納スペース１２の内部には、選択された液剤をシンク１６へ供給する液剤選択供給機構および液剤補充時に後述の液剤貯留タンク３２,３２,３２内の密閉状態を解除して、液剤補充を可能な状態とする液剤補充機構が配設され、両機構は、何れも制御手段３４によって作動制御されるようになっている。前記液剤選択供給機構は、複数(実施例１では３つ)の液剤貯留タンク３２,３２,３２と、液剤貯留タンク３２,３２,３２を加圧するポンプ(空気圧送ポンプ)４０と、該ポンプ４０および液剤貯留タンク３２の連通を切換える切換弁３８とから基本的に構成される。そして、使用者が選択ボタン３０,３０,３０を押すことで(液剤選択供給操作)、前記制御手段３４がこれらの装置を作動制御するようになっている。
【００２０】
前記液剤貯留タンク３２は、内部に所要量の液剤を貯留し得るようボトル状に形成されて、前記収納スペース１２の内底部に載置される。各液剤貯留タンク３２は、夫々異なる液剤を貯留して、常には密閉状態に保持されている。なお、実施例では、液剤として食器洗い用洗剤、手洗い用洗剤およびシンク洗い用クレンザーの３種の液剤が、夫々、図１の左・中・右側に配設された液剤貯留タンク３２に貯留されているものとし、必要な場合、「液剤貯留タンクＡ３２」の如くＡ〜Ｃの符号を付して指称することとする。また、液剤貯留タンクＡ〜Ｃに対応する選択ボタン３０,３０,３０、液剤供給管３６,３６,３６(後述)等の部材についても、必要な場合、Ａ〜Ｃの符号を末尾に付して指称することとする。
【００２１】
夫々の液剤貯留タンク３２に配設された液剤供給管３６,３６,３６は、各液剤貯留タンク３２内の液剤をシンク１６へ供給するものであって、例えば、ビニルチューブ等の素材から形成されている。各液剤供給管３６は、図３に示すように、一端が対応の液剤貯留タンク３２の下部に連通接続すると共に、他端が前記蛇口１８の内部を挿通され、対応するノズル６２に連通接続されている。
【００２２】
前記ポンプ４０は、前記液剤貯留タンク３２へ空気を送って加圧する空圧式タイプのものであって、使用者の液剤選択供給操作に基づき前記制御手段３４によって作動制御されるようになっている。このポンプ４０は、空圧管４２を介して切換弁３８と連通接続されている。切換弁３８は、液剤選択供給操作に基づきポンプ４０(空圧管４２)と所望の液剤貯留タンク３２,３２,３２との連通を切換えるよう構成される。すなわち、図１に示すように、この切換弁３８には、各液剤貯留タンク３２と連通する分岐管４４が、夫々分岐して接続されており、液剤選択供給操作に基づき任意の分岐管４４を開放させると共に、他の分岐管４４,４４を閉成させるようになっている。具体的には、手洗い用洗剤が選択された場合には、切換弁３８は分岐管Ｂ４４を開放させると共に、残る分岐管Ａ４４および分岐管Ｂ４４を閉成して、前記ポンプ４０と液剤貯留タンクＢ３２とを連通させるようになっている。なお、図４のタイミングチャートに示すように、ポンプ４０は、１回の液剤選択供給操作で所定時間作動するよう設定される。従って、使用者が選択ボタン３０を１回押した際に供給される液剤の量は、常に一定となっている。
【００２３】
前記液剤補充機構は、液剤補充操作に基づき、前記液剤貯留タンク３２内部の密閉を解放して液剤を補充可能な状態とするものである。すなわち、図２に示す如く、台部１４の上面２４に配設されたリリーススイッチ２６をＯＮ入力することで(液剤補充操作)、前記制御手段３４が液剤補充機構を作動させて、液剤の補充が可能な状態(すなわち、液剤貯留タンク３２内が非密閉状態となること)となる。液剤補充機構は、補充される液剤を対応の液剤貯留タンク３２へ供給する液剤補充管４６と、液剤補充時に該液剤補充管４６を開放させる第１常閉弁４８と、該第１常閉弁４８と連動して作動し、液剤貯留タンク３２を開放する第２常閉弁５０とから基本的に構成される。
【００２４】
液剤補充管４６は、各液剤貯留タンク３２毎に設けられるものであって、図３に示すように、その一端が該タンク３２の内部に臨むと共に、他方の開放端５２が、前記台部１４の上面２４に臨んで補充口を形成している。すなわち、図２に示すように、前記台部１４の上面２４に、各液剤補充管４６の補充口５２が３つ並んだ状態で臨み、使用者が液剤を注入可能な液剤補充部２８が形成されている。また、各液剤補充管４６の所要部位には、第１常閉弁４８が設けられている。この第１常閉弁４８は、常には、液剤補充管４６を閉成すると共に、液剤補充時に開放作動して、液剤の補充を許容するよう構成される。なお、前記各補充口５２には、キャップ５４が設けられ、補充口５２を介して異物が混入するのを防止している。
【００２５】
前記第２常閉弁５０は、制御手段３４により前記第１常閉弁４８と連動して開放作動されるものであって、図３に示すように、各液剤貯留タンク３２に連通接続するリリース管５６に配設されている。このリリース管５６は、その一端が液剤貯留タンク３２の内部上方で液剤に浸らない位置に臨むと共に、他端が該タンク３２の外部に延出している。また、前記リリース管５６は、常には前記第２常閉弁５０によって閉成されて、液剤貯留タンク３２内を密閉状態に保持すると共に、液剤補充時に該第２常閉弁５０が第１常閉弁４８と共に開放作動されて、該タンク３２内部の密閉状態を解除するよう構成される。なお、リリーススイッチ２６は、補充時にのみＯＮ入力されるものであり、常には、ＯＦＦ状態とされる。また、全ての第１,第２常閉弁４８,５０は、前記リリーススイッチ２６がＯＮ入力されると一斉に開放作動し、図４に示すように、該リリーススイッチ２６がＯＮされている間、開放状態に維持される。
【００２６】
(実施例の作用)
次に、実施例に係る流し台１０の作用について説明する。例えば、食器を洗浄する際には、食器洗い用洗剤に対応する選択ボタンＡ３０を押す。この液剤選択供給操作に基づき制御手段３４は、先ず始めに、前記切換弁３８を作動させる。すなわち、図４に示すように、切換弁３８が切換え作動して、食器洗い用洗剤が貯留された液剤貯留タンクＡ３２に接続する分岐管Ａ４４を開放して、前記空圧管４２と連通させると共に、他の分岐管Ｂ４４および分岐管Ｃ４４を閉成する。この切換弁３８の作動が終了すると、制御手段３４はポンプ４０を作動制御して、空気を液剤貯留タンクＡ３２へ供給する。すなわち、ポンプ４０からの空気が、前記空圧管４２および分岐管Ａ４４を介して液剤貯留タンクＡ３２内へ供給される。このとき、分岐管Ｂ４４および分岐管Ｃ４４は切換弁３８によって閉成されているので、ポンプ４０からの空気が液剤貯留タンクＢ３２および液剤貯留タンクＣ３２へ供給されることはない。
【００２７】
前記液剤貯留タンクＡ３２に空気が供給されると、図３(ａ)に示すように、この圧力により内部の液剤(食器洗い用洗剤)が押し出され、液剤供給管Ａ３６内を圧送される。そして、液剤は前記蛇口１８の内部を経て、該蛇口１８の開口部１８ａよりノズル６２Ａを介して注出される。なお、図４に示すように、前記ポンプ４０は、所定時間作動すると自動停止されるので、一定量の食器洗い用洗剤が注出される。
【００２８】
このように、実施例に係る流し台１０は、選択ボタン３０を押すだけで液剤を選択することが可能となる。他の液剤(手洗い用洗剤、シンク洗い用クレンザー)を選択・供給する場合についても、上記と同様な手順で行なわれる。
【００２９】
次に、液剤補充について、手洗い用洗剤を補充する場合を例に説明する。先ず始めに、前記台部１４の上面２４に配設されたリリーススイッチ２６を使用者がＯＮ入力する。この液剤補充操作に基づき、前記制御手段３４は、図４に示すように、前記第１常閉弁Ｂ４８および第２常閉弁Ｂ５０を同時に開放させる。これにより、前記液剤補充管Ｂ４６が開放すると共に、前記リリース管Ｂ５６が開放して、液剤貯留タンクＢ３２内の密閉状態が解除されて液剤補充が可能な状態となる。この時、他の第１常閉弁Ａ４８,第１常閉弁Ｃ４８および第２常閉弁Ａ５０,第２常閉弁Ｃ５０も、開放状態にある。
【００３０】
そして、前記キャップＢ５４を外して前記補充口Ｂ５２を開放させ、該補充口Ｂ５２から手洗い用洗剤を注入する。注入された手洗い用洗剤は、図３(ｂ)に示すように、液剤補充管Ｂ４６内を流下し、液剤貯留タンクＢ３２内へ貯留される。この時、前記第２常閉弁Ｂ５０は開放しているので、手洗い用洗剤の注入に伴って液剤貯留タンクＢ３２内の空気はリリース管Ｂ５６を介して放出され、手洗い用洗剤をスムーズに補充することができる。
【００３１】
手洗い用洗剤の補充が完了すると、前記リリーススイッチ２６をＯＦＦとする。すると、図４に示すように、前記制御手段３４は、第１常閉弁Ｂ４８および第２常閉弁Ｂ５０を閉成し、液剤貯留タンクＢ３２は再び密閉状態とされる。同時に、他の第１常閉弁Ａ４８,第１常閉弁Ｃ４８および第２常閉弁Ａ５０,第２常閉弁Ｃ５０も閉成作動される。なお、手洗い用洗剤以外の液剤を補充する場合でも、上記と同様な手順で行なわれる。
【００３２】
以上に説明したように、実施例に係る流し台１０は、複数種類の液剤をシンク１６に選択的に供給し得るよう構成したので、用途に合わせて各種様々な液剤を供給することができる。また、液剤用のボトル等をシンク１６の周りに置いておく必要がないので、流し台１０がスッキリして、不衛生になることもない。更に、液剤を補充する場合、台部１４の上面２４に臨んだ液剤補充管４６の補充口５２から補充することができるので、容易かつ確実に補充することが可能となる。また、液剤補充の際に第２常閉弁５０が液剤貯留タンク３２内の空気を放出するので、液剤が液剤補充管４６から飛び出すのを防止して、液剤補充を確実に行ない得る。
【００３３】
(変更例)
実施例で示した第２常閉弁５０は、リリース管５６に配設されたものであったが、例えば、第２常閉弁５０を液剤貯留タンク３２に直接設けて、リリース管５６を省略することも可能である。
【００３４】
また、実施例で示した液剤(食器洗い用洗剤・手洗い用洗剤・シンク洗い用クレンザー)についても、これらの種類に限定される訳ではなく、他種の液剤(例えば、漂白剤等)に変更してもよい。また、液剤貯留タンク３２の配設数についても、実施例の如く３つに限られず、その数を増減させても構わない。すなわち、流し台１０の実施態様および目的に合わせて、前記液剤貯留タンク３２の配設数や液剤の種類を変更すればよい。
【図面の簡単な説明】
【００３５】
【図１】実施例に係る流し台を概略的に示す説明断面図である。
【図２】実施例に係る流し台の概略平面図である。
【図３】液剤貯留タンクを示す拡大図であって、(ａ)は液剤の供給時を示し、(ｂ)は液剤の補充時を示している。
【図４】各部材の作動状態を表すタイミングチャート図である。
【符号の説明】
【００３６】
１２ 収納スペース
２４ 上面
２６ リリーススイッチ
３０ 選択ボタン
３２ 液剤貯留タンク
３４ 制御手段
３６ 液剤供給管
３８ 切換弁
４０ ポンプ(空気圧送ポンプ)
４２ 空圧管
４４ 分岐管
４６ 液剤補充管
４８ 第１常閉弁
５０ 第２常閉弁
５２ 補充口(開放端)
５６ リリース管
６２ ノズル
【図１】
2007185251.tif 000003
【図２】
2007185251.tif 000004
【図３】
2007185251.tif 000005
【図４】
2007185251.tif 000006